(57)【要約】【課題】他の被着体と積層する時に遮光部分である暗色線条部の露出部に空気が残留し難い、コントラスト向上フィルタとする。【解決手段】コントラスト向上フィルタ１０は、延在方向を互いに平行に多数配列した暗色線条部１ａと、暗色線条部を少なくとも側面から支持する透明樹脂層１ｂとを有するコントラスト向上層１を含み、暗色線条部の一部が透明樹脂層の少なくとも片面Ａｓに露出した露出部Ｅが、片面Ａｓに対して突出している突出形状とする。突出形状は凹みや尖った部分のない曲線からなる形状がより好ましい。被着体３と接着剤層で積層時に露出部回りに空気が残留し難くなる。被着体は電磁波遮蔽層等の各種機能層を含み得る。また、機械的強度増強などの為に支持体シート２を積層しても良い。【選択図】  図１
2011257439.tif 000002
【特許請求の範囲】
【請求項１】
延在方向を互いに平行に多数配列した暗色線条部と該暗色線条部を少なくとも側面から支持する透明樹脂層とを有するコントラスト向上層を含む、コントラスト向上フィルタにおいて、
該暗色線条部の一部が、透明樹脂層の少なくとも片面に露出しており、また該片面に他の層が積層されているときは、該他の層が積層されていないと仮定した状態に於いて、該暗色線条部の一部が、透明樹脂層の少なくとも片面に露出しており、
暗色線条部の前記露出している部分である露出部が、前記片面に対して突出した突出形状をしている、コントラスト向上フィルタ。
【請求項２】
上記暗色線条部が露出している側の透明樹脂層の面を含むコントラスト向上層の面に対して、接着剤層を介して機能層が積層されている、請求項１記載のコントラスト向上フィルタ。
【発明の詳細な説明】
【技術分野】
【０００１】
本発明は微小ルーバ構造を有するコントラスト向上フィルタに関し、特に、他の被着体と積層する時に遮光部分である暗色線条部の露出部に空気が残留し難い、コントラスト向上フィルタに関する。
【背景技術】
【０００２】
現在、ディスプレイとして、旧来のブラウン管（ＣＲＴ）ディスプレイ以外に、フラットパネルディスプレイ（ＦＰＤ）となる、液晶ディスプレイ（ＬＣＤ）、プラズマディスプレイパネル（以後ＰＤＰとも言う）、電界発光（ＥＬ）ディスプレイ等の各種ディスプレイが実用されている。
【０００３】
そして、ディスプレイの前面（観察者側面）には、例えばＰＤＰでは、ディスプレイからの電磁波放出が強い為、該電磁波は遮蔽し画像光は透過させる電磁波遮蔽フィルタや、ディスプレイから放出される赤外線によるリモートコントローラの誤動作を防ぐ、赤外線吸収フィルタ等の光学フィルタが配置される。
また、更に画質を向上させる等の為に、コントラスト向上フィルタを配置することがある。コントラスト向上フィルタは、通常、ストライプ状の遮光部位（暗色線条部）が面方向に、その延在方向が互いに平行となる様にして多数配列された所謂微小ルーバ構造のコントラスト向上層を備えたフィルタである。この様なコントラスト向上フィルタをディスプレイの前面に配置すると、外光は光吸収部となる暗色線条部で吸収されて観察者側に戻って画像光に混じらない様になり、また画像光は暗色線条部の間の光透過部によって観察者側に届くので、外光による明室コントラストの低下を防ぐことができる（特許文献１、特許文献２）。
【０００４】
ところで、コントラスト向上フィルタの機能を担うコントラスト向上層１の構造は、図８で例示する従来のコントラスト向上フィルタ２０の様に、それが備えるコントラスト向上層２１は、基本的には、暗色線条部２１ａが透明樹脂層２１ｂで支持された構造であり、更にこのコントラスト向上層２１のみでは機械的強度が不足する場合に、これを支持する支持体シート（不図示）が積層されることが多い。また、更に必要に応じて、前記、電磁波遮蔽フィルタや近赤外線吸収フィルタ等の各種光学フィルタ等が積層された積層体となる。
【０００５】
また、暗色線条部２１ａの主切断面形状は、二等辺三角形状、台形形状などが代表的である。更に、特許文献２では、これら主切断面形状を変調（変形）した形状として、図９（ａ）の断面図で例示する様な、コントラスト向上層１の片面Ａｓに露出した露出部Ｅ（同図では台形の下底に該当する）の部分で丸みを帯びて凹んだ凹状形状を開示している。従って、コントラスト向上層１の面としては、該露出部Ｅの部分で、透明樹脂層２１ｂの該片面Ａｓに対して、丸みを帯びて凹んだ凹陥形状となっている。 そして、該凹陥形状は、画像のぼけ現象を減少させることが出来、また当該部位での接着面積が増大して接着力を向上させることが出来るとしている。（なお、凹状形状と凹陥形状との意味の違いは、後述用語の定義欄で説明する。）
【先行技術文献】
【特許文献】
【０００６】
【特許文献１】特開２００６−３１３３６０号公報
【特許文献２】特開２００９−３１７４８号公報（図２０、図２４等）
【発明の概要】
【発明が解決しようとする課題】
【０００７】
しかしながら、図９（ａ）の様に、暗色線条部２１ａの露出部Ｅが凹湾曲形状など凹陥形状であると、図９（ｂ）で示す様に、当該凹陥形状の凹んだ部分に、他の被着体３と積層するときに、空気Ｇが逃げ切れず、気泡として残留して品質低下を招き易いという問題がある。なお、同図では他の被着体３は、機能主体層５に粘着剤等による接着剤層４が積層され、この接着剤層４をコントラスト向上層２１の暗色線条部２１ａの凹んだ露出部Ｅが存在する側の面に積層する様子を示す。
【０００８】
ただ、暗色線条部２１ａの露出部Ｅが、図８で例示した様に断面直線で、コントラスト向上層２１の面と面一（同一水準）で平坦となっていれば、上記気泡残留の問題は回避できる。しかし、実際問題として、暗色線条部２１ａは、それと逆凹凸形状の溝状の凹条部を表面に賦形した透明樹脂層２１ｂを最初に形成してから、この凹条部の内部に暗色材料を充填して形成するのが普通であり、しかも、暗色材料が固化するときの溶剤放出や樹脂硬化反応による体積収縮で、何がしかの凹みは自ずと発生するのが普通である。
【０００９】
すなわち、本発明の課題は、他の被着体と積層する時に遮光部分である暗色線条部の露出部に空気が残留し難い、コントラスト向上フィルタを提供することである。
【課題を解決するための手段】
【００１０】
そこで、本発明では、次の様な構成の、コントラスト向上フィルタとした。
（１）延在方向を互いに平行に多数配列した暗色線条部と該暗色線条部を少なくとも側面から支持する透明樹脂層とを有するコントラスト向上層を含む、コントラスト向上フィルタにおいて、
該暗色線条部の一部が、透明樹脂層の少なくとも片面に露出しており、また該片面に他の層が積層されているときは、該他の層が積層されていないと仮定した状態に於いて、該暗色線条部の一部が、透明樹脂層の少なくとも片面に露出しており、
暗色線条部の前記露出している部分である露出部が、前記片面に対して突出した突出形状をしている、コントラスト向上フィルタ。
（２）上記（１）に於いて、上記暗色線条部が露出している側の透明樹脂層の面を含むコントラスト向上層の面に対して、接着剤層を介して機能層が積層されている、コントラスト向上フィルタ。
【発明の効果】
【００１１】
本発明によれば、被着体など他の層と積層する時に、遮光部分である暗色線条部の露出部に空気が残留し難い。従って、暗色線条部が透明樹脂層から露出している側のコントラスト向上層の面に、接着剤層を介して各種機能層を積層した構成としても、暗色線条部の露出部に残留空気による気泡が生じない。
【図面の簡単な説明】
【００１２】
【図１】本発明によるコントラスト向上フィルタを、その２形態で例示する断面図。
【図２】暗色線条部の露出部と透明樹脂層の面との接続状況が異なる場合を示す断面図。
【図３】暗色線条部の突出形状の露出部に空気が残留しない状況を説明する断面図。
【図４】コントラスト向上フィルタを別の一形態で例示する断面図。
【図５】電磁波遮蔽層に於ける、導電体パターン層の凸部（形成部）周辺にて、導電体パターン層の非形成部よりも形成部でプライマ層が厚く、導電体パターン層の凸部内での導電性粒子の分布が凸部の頂部近くが密でプライマ層近くが疎の形態を、概念的に示す断面図。
【図６】暗色線条部の露出部の突出形状を説明する断面図。
【図７】暗色線条部の（露出部を突出形状に変形前での全体的な）主切断面形状の各種例を例示する断面図。
【図８】従来のコントラスト向上フィルタを例示する断面図。
【図９】従来のコントラスト向上フィルタにて、暗色線条部の露出部が凹んでいると空気が残留する状況を説明する断面図。
【発明を実施するための形態】
【００１３】
以下、本発明の実施の形態について、図面を参照しながら説明する。
【００１４】
《Ａ１．第１の実施形態》
本発明によるコントラスト向上フィルタについて、先ず図１を参照して、その実施形態を説明する。
【００１５】
本実施形態のコントラスト向上フィルタ１０は、コントラスト向上層１を有し、該コントラスト向上層１は、フィルタ面方向に多数配列し遮光部となる暗色線条部１ａと、該暗色線条部１ａを面方向で両側側面からと厚み方向では一方から都合３方向から支持し光透過部となる透明樹脂層１ｂとを有する。また、暗色線条部１ａの主切断面形状は、台形の下底に該当する底辺が外側（図面では上方であり主切断面形状の輪郭の内部にではなく外部の側の意味）に向かって凸に湾曲する様に変形した形状である。そして、この底辺部分が湾曲して凸状形状に膨らんだ部分が、ちょうど、透明樹脂層１ｂの層面である面Ａｓから突出した部分で露出部Ｅとなっている。つまり、暗色線条部１ａは露出部Ｅで、透明樹脂層１ｂの層面Ａｓよりも凸となる様に本実施形態例では曲線状に膨らみを有する形状となっている。従って、露出部Ｅで凸状形状に変形した底辺の両端Ｂｅは、露出部の両端Ｅｅでもあり、透明樹脂層１ｂの面Ａｓに接続している。
つまり、該台形の変形前底辺の両端Ｂｅは、図２（ａ）の様に、該透明樹脂層１ｂの面Ａｓに対して図面で上側にずれて別の部分（台形の側面）が該面Ａｓと接続したり、或いは、図２（ｂ）の様に面Ａｓに対して図面で下側にずれて該面Ａｓ以外の別の部分（層の側面）に接続したり、していない。
また、該露出部Ｅでの暗色線条部１ａの突出形状は、主切断面形状で外側に向かって凸なる曲線で湾曲した凸湾曲形状をしている。なお、本実施形態では、この凸湾曲形状は、更に詳しくは、主切断面形状で露出部Ｅの両端Ｅｅを除いた部分（言い換えると両端Ｅｅの間の閉区間）の全域で尖点が無く曲線のみからなる形状をしている。（両端Ｅｅの部分が尖点となる。）
【００１６】
この様に、透明樹脂層１ｂから露出した暗色線条部１ａの露出部Ｅを、透明樹脂層１ｂの面Ａｓに対して突出した、上記の様な突出形状（本実施形態では凸湾曲形状の場合であった）にすることで、図３の断面図で示す様に、他の被着体３と積層する時に該露出部Ｅの近くに空気Ｇが残留し難くなる。
すなちわ、図３は、暗色線条部１ａの露出部Ｅの部分で突出形状（同図は凸湾曲形状の場合）となったコントラスト向上層１では、他の被着体３と積層する際に、暗色線条部１ａの露出部分に空気Ｇが残らず、空気Ｇが外部に逃げ易い事を示す。なお、同図では、他の被着体３は、機能主体層５に粘着剤等による接着剤層４が積層され構成を想定している例である。また、接着剤層４等で被着体３と積層するときに、突出形状となった事による接着面積拡大の結果、投錨効果による密着性向上効果も期待できる。
なお、該底辺の最高部の透明樹脂層１ｂの表面である面Ａｓからの高さとして突出高さＨは１．５〜７μｍであることが、空気Ｇが抜け易い点で好ましい。小さ過ぎても効果が得られず、高過ぎても効果が飽和するだけである。
【００１７】
《Ａ２．第２の実施形態》
次に、図１（ｂ）の断面図で例示する本実施形態のコントラスト向上フィルタ１０は、上記第１の実施形態で説明した図１（ａ）の構成に対して、更に、支持体シート２を露出部Ｅが存在しない側のコントラスト向上層１の面に積層し、被着体３を該露出部Ｅが存在する側の（透明樹脂層１ｂの面Ａｓを含む）コントラスト向上層１の面に積層した構成である。その他は、上記と同じであるので、ここでは、支持体シート２と被着体３について説明する。
支持体シート２は、例えば、ポリエステル樹脂シートなどからなる透明な樹脂シートであり、コントラスト向上層１を支持して機械的強度を増すほか、コントラスト向上層１を形成するときの、ベースシートになるものである。
また、被着体３は光学フィルタ、粘着シート等の機能層であり、ＰＤＰ用途の場合には、電磁波遮蔽層（乃至は電磁波遮蔽シート）や近赤外線吸収層等である。
【００１８】
なお、この様な構成のコントラスト向上フィルタ１０は、例えば、次の様にして作製することができる。先ず、樹脂シートからなる支持体シート２の片面にコントラスト向上層１を形成する。コントラスト向上層１の形成は、暗色線条部１ａとは逆凹凸形状の溝状の凹条部を透明樹脂層１ｂの表面に賦形する為に、該凹条部とは逆凹凸形状が形成されたロール状の成形型を準備し、この型面に透明の紫外線硬化樹脂を塗布後、前記支持体シート２を成形型に密着させて、支持体シート２を透して紫外線照射して、凹条部が賦形された透明樹脂層１ｂが支持体シート２上に積層された積層シートを作製する。そして、この透明樹脂層１ｂの凹条部が形成された面上に、暗色材料（暗色紫外線硬化樹脂）を塗布し、凹条部の内部にのみ暗色材料が充填されるよう、表面の不要な暗色材料はドクターブレードで掻き取った後、紫外線を照射し固化させて暗色線条部１ａを形成して、コントラスト向上層１を形成する。
このとき、暗色材料に後述する様な膨脹性樹脂組成物を用いて体積膨脹によって露出部Ｅを突出形状にする。そして、コントラスト向上層１の前記暗色材料を充填した側の面に、粘着剤層として接着剤層４と、近赤外線吸収層や電磁波遮蔽層５ａなどの機能主体層５とを積層する等した被着体３（後述図４参照）を、該接着剤層４でラミネートすることで作製する。
【００１９】
なお、前記支持体シート２として、透明樹脂層１ｂを積層する面を離型性として離型シートを用いて、コントラスト向上層１が該支持体シート２に積層された積層シートを作製後、該支持体シート２を剥離すれば、コントラスト向上層１のみからなる前記第１の実施形態の図１（ａ）の様な構成のコントラスト向上フィルタ１０が作製される。
【００２０】
そして、図１（ｂ）の様な構成のコントラスト向上フィルタ１０とすることで、前記第１の実施形態で説明した効果に加えて、更に、支持体シート２によって機械的強度を強化して取扱性などを向上でき、また、積層する被着体３に備えさせる機能に応じて、光学フィルタ機能、電磁波遮蔽機能、粘着機能など、各種機能を付与することができる。
【００２１】
《Ａ３．第３の実施形態》
次に、図４の断面図で例示する本実施形態のコントラスト向上フィルタ１０は、上記第２の実施形態で説明した図１（ｂ）の構成に於いて、被着体３が接着剤層４と機能主体層５としての電磁波遮蔽層５ａとを含み、該電磁波遮蔽層５ａが、専ら電磁波遮蔽機能を担う導電体層である導電体パターン層６と、該導電体パターン層６が面上に形成された透明基材７とを含む構成としたものである。その他は、上記第２の実施形態と同じであるので、ここでは、被着体３の構成層について更に説明する。
なお、本実施形態のコントラスト向上フィルタ１０は、ディスプレイの前面に配置するとき、その表裏の向きは、図面上方が観察者Ｖ側で表側となる使用法を想定したものである。また、台形の下底を変形させて露出部Ｅを突出形状にした暗色線条部１ａは、他方の上底側を観察者Ｖ側に向け、コントラスト向上層１は電磁波遮蔽層５ａに対して観察者Ｖ側に位置させて使う形態でもある。
【００２２】
そして、被着体３の接着剤層４としてはアクリル系粘着剤層等の接着剤を用い、この接着剤を機能主体層５となるシートに積層することで、接着剤層４と機能層主体層５とを含む被着体３が形成される。
機能主体層５としての電磁波遮蔽層５ａは、ポリエステル樹脂等の樹脂シートからなる透明基材７の片面に、メッシュ形状に導電体パターン層６を、銀ペースト等の導電性組成物で印刷形成したものである。また、接着剤層４は、透明基材７上に形成された導電体パターン層６による表面凹凸を埋め尽くせる厚さ以上の厚さで、積層してある。
【００２３】
導電体パターン層６は、銀ペースト等の導電性組成物をスクリーン印刷等で形成したものなどである。ただ、好ましくは、従来では不可能であった様な細く且つ精細なパターン形成が可能で、優れた電磁波遮蔽性と優れた光透過性とを高度に両立できる点で、後述する「引抜プライマ方式凹版印刷法」で印刷形成したものが良く、本実施形態では、この「引抜プライマ方式凹版印刷法」で印刷形成した導電体パターン層６とすることが出来る。
上記「引抜プライマ方式凹版印刷法」で印刷形成した導電体パターン層６には、当該印刷法によって形成されたと判る特徴的な構造を有する。すなわち、図５の断面図で示す様に、導電体パターン層６はプライマ層８を介して透明基材７上に形成され、該プライマ層８は、導電体パターン層６の形成部６ａでの厚さＴａが導電体パターン層６の非形成部６ｂでの厚さＴｂに比べて厚い。なお、更に好ましくは、導電体パターン層６の凸部内の導電性粒子Ｃｐの分布が、図５の断面図に示すように、相対的に、プライマ層８近傍において分布が疎であり頂部Ｐの近傍において分布が密である形態が良い。
【００２４】
そして、図４の様な構成のコントラスト向上フィルタ１０とすることで、前記第１及び第２の実施形態で説明した効果に加えて、更に、積層する被着体３によって電磁波遮蔽機能を付与することができる。また、その際、図５の形態の特定のプライマ層８及び特定の凸部内導電性粒子分布を有する形態とすることで、その電磁波遮蔽性と光透過性とを共に優れたものとして両立させて付与できる。
【００２５】
《Ｂ．用語の定義》
以下、主切断面形状、露出部、露出部に関係する各種形状、についてここで説明しておく。
【００２６】
（１）「主切断面形状」とは、コントラスト向上層１（暗色線条部１ａの露出部Ｅが突出形状となっている場合はそれによる凹凸は無視するかそれも含めた全体的な包絡面で捉える、或いは透明樹脂層１ｂ）の層面を成す面Ａｓに立てた法線を含む断面である「縦断面」のうち、暗色線条部１ａの延在方向に直交する断面として定義される「主切断面」に於ける断面形状のことを意味する。露出部Ｅではその表面である露出面の主切断面方向に於ける形状である。
（２）「露出部」Ｅとは、暗色線条部１ａのうち、透明樹脂層１ｂで被覆されていない部分である。
【００２７】
（３）「突出形状」、「平坦形状」、及び「凹陥形状」とは、暗色線条部１ａの露出部Ｅの部分と、透明樹脂層１ｂの該露出部Ｅが存在する面Ａｓと、が成す主切断面に於ける形状を規定する用語であり、主切断面に於ける露出部Ｅの端から端までの全域（両端Ｅｅの間の全域）と面Ａｓとの位置関係で形状を規定する用語である。ここで、該面Ａｓに立てた法線をＺ軸としてＺ軸の正方向を透明樹脂層１ｂ及び面Ａｓから離れる方向（例えば図１では図面上方）として、面Ａｓを水準０とすると、各々は次の意味である。
「突出形状」とは、露出部Ｅが正の水準となる形状であり、言い換えると面Ａｓから＋Ｚ方向に向かって膨らんで突出している形状を意味する。
「平坦形状」とは、露出部Ｅが０（ゼロ）の水準を有する形状であり、言い換えると、面Ａｓと同一の面乃至は面一である形状を意味する
「凹陥形状」とは、露出部Ｅが負の水準となる形状であり、言い換えると面Ａｓから＋Ｚ方向に対して凹んでいる形状を意味する。
【００２８】
（４）「凸状形状」、「平坦状形状」、及び「凹状形状」とは、透明樹脂層１ｂの該露出部Ｅが存在する面Ａｓとは無関係に、暗色線条部１ａの露出部Ｅ自体の部分での主切断面形状を規定する用語であり、露出部Ｅの端から端までの全域（両端Ｅｅの間の全域）での露出部Ｅのそれ自体の形状を規定する用語である。暗色線条部１ａ自体の主切断面形状に関するこちらの用語は、形を意味する言葉の次に「状」を付けて区別してある。ここで、該面Ａｓに立てた法線をＺ軸としてＺ軸の正方向を透明樹脂層１ｂ及び面Ａｓから離れる方向（例えば図１では図面上方）として、こちらでは、露出部Ｅの両端Ｅｅを水準０とすると（両端Ｅｅは通常面Ａｓに対して同じ水準である）、各々は次の意味である。
「凸状形状」とは、露出部Ｅが正の水準となる形状であり、言い換えると両端Ｅｅよりも外側（＋Ｚ方向）に向かって膨らんでいる形状を意味する。
「平坦状形状」とは、露出部Ｅが０（ゼロ）の水準を有する形状であり、言い換えると、両端Ｅｅと同一水準である形状を意味する。
「凹状形状」とは、露出部Ｅが負の水準となる形状であり、言い換えると両端Ｅｅから＋Ｚ方向に対して凹んでいる形状を意味する。
なお、両端Ｅｅが異なる水準を持つ場合は、両端Ｅｅ間を結ぶ線分（直線）に対して、露出部Ｅが、両端間Ｅｅの全域で正の方向に位置する形状を「凸状形状」、両端Ｅｅ間を結ぶ線分（直線）と同一となる形状を「平坦状形状」、両端Ｅｅ間の全域で負の方向に位置する形状を「凹状形状」とする。
【００２９】
《Ｃ．各部材の詳細》
次に、コントラスト向上フィルタ１０の構成層について更に詳述する。
【００３０】
〔コントラスト向上層〕
コントラスト向上層１は、延在方向を互いに平行に、しかも所定の間隔を空けて、多数配列した直線状の暗色線条部１ａと、該暗色線条部１ａの少なくとも間に存在する透明樹脂層１ｂとからなる。透明樹脂層１ｂは、暗色線条部１ａを少なくとも側面から（コントラスト向上層１の面方向に平行な方向から）支持して、暗色線条部１ａを所定の空間配置に維持する機能と、コントラスト向上層１に於いて光を透過する光透過部としての機能を有する。本発明では、暗色線条部１ａが透明樹脂層１ｂで被覆されずに透明樹脂層１ｂから露出した露出部Ｅの部分が突出形状である点に特徴を有するが、これ以外の点、すなわち、露出部Ｅの部分以外の暗色線条部１ａの形状、その全体的な形状や配列時の寸法、透明樹脂層１ｂの材料等は、従来公知の微小ルーバ構造のコントラスト向上層の技術を採用できる。
【００３１】
例えば、暗色線条部１ａの大きさとその配列周期は、用途により適宜設定するが、二等辺三角形形状を変形させた形状とする場合、例えば、露出部Ｅとして変形前の形状で底辺の大きさは１７μｍ、高さ１２０μｍ、配列周期８５μｍである。そして、この底辺を露出部Ｅとして透明樹脂層１ｂから露出させ、好ましくは湾曲させて、透明樹脂層１ｂの面Ａｓに対して突出させた突出形状とする。なお、透明樹脂層１ｂの層面である面Ａｓからの突出高さは、例えば、１．５〜７μｍである。
【００３２】
なお、コントラスト向上層１の作用は、外光に対しては、暗色線条部１ａがフィルタ面（乃至は透明樹脂層１ｂの層面Ａｓ）の法線に対して傾斜した方向から来る外光を吸収し、暗色線条部１ａ同士の間の透明樹脂層１ｂの部分が、主にフィルタ面の法線方向の光線からなる画像光を透過する光透過部となる。これによって外光の影響を抑制して、外光存在環境下に於ける画像の黒画像に対する白画像の輝度比、即ち、明室コントラストを向上させることができる。また、該法線方向から傾斜した一部の画像光に対しては、画像光を拡散して視野角を増大したり、画像光を正面方向に集光して正面輝度を増大させたり、することができる。
【００３３】
｛暗色線条部｝
本発明で特徴的な暗色線条部１ａから説明する。
【００３４】
［暗色線条部の突出形状］
暗色線条部１ａの露出部Ｅが、透明樹脂層１ｂの面Ａｓに対して突出している突出形状について、更に説明する。
先ず、前述した図２（ａ）も一応、突出形状の例であり、一方、図２（ｂ）は、露出部Ｅ自体の形状は「凸状形状」だが突出形状ではなく凹陥形状の例であった。この様に、突出形状とは、暗色線条部１ａの露出部Ｅ自体の主切断面形状ではなく、暗色線条部１ａと透明樹脂層１ｂとの空間的位置関係で決まる、露出部Ｅの部分でのコントラスト向上層１としての主切断面に於ける形状と言える。但し、図２（ａ）は突出形状とは言え、その現実的な作製法を考えた場合、普通は起こりえず、また、あえてそこまで突出させる必要もない。しかも、図２（ａ）の形状は、露出部Ｅの中央部に空気が溜まるのを防げるが、透明樹脂層１ｂの面Ａｓから突出した暗色線条部１ａの側面と該面Ａｓとの接続部Ａｊの部分が窪んだ形状となる為に、今度はそこに空気が溜まり易くなる点で、突出形状の中ではなるべく避けた方が好ましい形状でもある。一方、図１、図３及び図４で例示した突出形状は、台形の底辺（下底）の両端Ｂｅを露出部Ｅの両端Ｅｅとして変形させて凸状形状にすることで形成できる突出形状であり、変形前の該底辺（下底）の両端Ｂｅが面Ａｓと接続した形状であり、図２（ａ）の様な窪んだ接続部Ａｊが発生しない点で、より好ましい突出形状である。
【００３５】
ただ、前記した突出形状としての定義を満たす形状の中には、図６で例示する様な突出形状もあり得る。なお、図６は、暗色線条部１ａの露出部Ｅと透明樹脂層１ｂの面Ａｓ回りのみを拡大した断面図である。また、図面は説明用の概念図でもあるので、縦横の縮尺及び大小関係等は、これに限定されるものではない。
図６（ａ）は、暗色線条部１ａの露出部Ｅの中央部に更に凸なる尖点Ａｃを有する。尖点（せんてん）とは尖った点であるが、この場合は、外側に向かって尖った尖点Ａｃである。一方、図６（ｂ）は、暗色線条部１ａの露出部Ｅの中央部の尖点Ａｃが内側に向かって尖った形状の例である。また、図６（ｃ）は、暗色線条部１ａの露出部Ｅの中央部に尖点Ａｃは無いが、内側に向かって湾曲して凹んだ形状の例である。
この様に、尖点Ａｃの存在の有無に関わらず、露出部Ｅがその突出形状に内側に向かって凹んだ部分を有すると、そこに空気が残留する余地が生じるので、好ましくは、図６（ａ）の様に、内側に向かって凹んだ部分を持たない突出形状が望ましい。
なお、内側に向かって凹んだ部分を持たない突出形状において、直線部分が存在しても良い。極端な場合は、図６（ｄ）の様に、透明樹脂層１ｂの面Ａｓから突出した部分の露出部Ｅが、該面Ａｓの水準を下底とし頂部を上底とする台形となる、直線のみからなる折れ線形状である。或いは、図６（ａ）で言えば、尖点Ａｃが存在しない代わりに、頂部が面Ａｓに平行な直線となる形状などである。
【００３６】
また、図１及び図４などは、露出部Ｅが尖点がない曲線のみからなる突出形状（乃至は凸状形状）を呈する例でもあったが、尖点がない曲線のみからなる突出形状としては、図６（ｅ）の様な突出形状もあり得る。図６（ｅ）では、露出部Ｅが成す突出形状の幅（面Ａｓ方向の寸法）と、突出高さＨ（面Ａｓに立てた法線方向の面Ａｓから最高部までの寸法）が略同じ場合で、半円状の形状の例である。しかし、この様な突出形状は、面Ａｓと露出部Ｅとの接続部Ａｊに、先に図２（ａ）で説明した様に、空気が溜まり易く、なるべく避けた方が好ましい。また、現実的にあえてそこまで突出させる必要もない。
【００３７】
以上の様に、突出形状としては、空気Ｇが抜け易い点で、より好ましくは、接続部Ａｊが窪んでいない形状が良い。接続部Ａｊが窪んでいない形状とは、透明樹脂層１ｂの面Ａｓと、暗色線条部１ａの露出部Ｅとの接続部Ａｊに於ける該露出部Ｅの面の成す角度を傾斜角θとして、傾斜角θが９０°未満である形状であり、好ましくは傾斜角θが４５°以下、より好ましくは３０°以下の形状である。ちなみに、図６（ｅ）は、傾斜角θ＝９０°である。
更に、好ましくは、図６（ｂ）の様な凹なる尖点や、図６（ｃ）の様な凹湾曲部がない形状が良い。
これらを満足する突出形状の例が、図１及び図４、図６（ａ）及び図６（ｄ）であった。更に、図１及び図４の様な、凸なる尖点も直線もない曲線のみからなる（これを「凸湾曲形状」ということにする）形状が、好ましい。これらの突出形状は、又、＋Ｚ方向（図１に於いては上方）に向かって凸の滑らかな連続曲線となっている。また、露出部Ｅの面Ａｓからの水準である突出高さＨは、例えば、１．５〜７μｍである。
【００３８】
［露出部を突出形状に変形前の暗色線条部の全体的な主切断面形状］
ところで、暗色線条部１ａの主切断面形状は、特に限定されない。例えば、図１〜図４では露出部Ｅを突出形状に変形前の形状が台形であったが、この他、二等辺三角形や不等辺三角形等の三角形、正方形、長方形、五角形などの、透明樹脂層１ｂの面Ａｓに対してその面方向に平行な底辺を有する多角形、或いは、三角形や台形などの片側又は両側の斜辺を曲線化して面方向に膨らませた或いは凹ませた形状など、多角形の辺を湾曲化させた形状などである。
ここで、図７は暗色線条部１ａの主切断面形状について、露出部Ｅを突出形状に変形前の全体的な主切断面形状として、例示する断面図であり、図７（１）は三角形（二等辺三角形）、図７（２）は五角形、図７（３）は台形、図７（４）は長方形、図７（５）は三角形の両方の斜辺を（図面は外側に向かって凸の場合）曲線化した形状、の例を示す。
【００３９】
［暗色線条部の材料］
暗色線条部１ａは暗色材料で形成され、暗色材料としては、光吸収性色材を樹脂バインダに含有させた、塗料（乃至はインキ）等の樹脂組成物を用いることができる。該光吸収性色材は、光吸収性が高く暗色の、つまり低明度の有彩色或いは無彩色を呈する暗色色材を用いることができる。暗色の代表例は黒色であり、無彩色の黒色が画像表示の色に影響を与えず、また外光吸収が大きい点で好ましい。又、低明度の有彩色としては、茶褐色、紺色、臙脂色、深緑色等が挙げられる。なお、暗色色材としては、公知の色材、黒色で言えば、例えば、カーボンブラック、黒色酸化鉄等の黒色顔料、アニリンブラック等の黒色染料などを用いれば良い。また、暗色色材としては、これら暗色色材でアクリル樹脂粒子等を暗色に着色した暗色の樹脂粒子などでもよい。また、青色、黄色、赤色などの有彩色の色材を複数種類用いて混色により、暗色材料を黒色など無彩色乃至は有彩色の暗色としても良い。
【００４０】
上記粒子は、各個の粒子が非凝集で独立している分散形態、或いは複数粒子が凝集して複合粒子となった分散形態の何れでも良い。該粒子の粒径（複合粒子の場合は複合状態での粒径）は、通常、平均粒径０．１〜１０μｍ程度である。又、複数の異なった粒径の粒子を混合しても良い。該暗色色材の添加量は、通常、樹脂バインダのバインダ樹脂１００質量部に対して５〜１０００質量部である。
【００４１】
上記樹脂バインダとしては、露出部Ｅを突出形状にする点で、硬化又は加熱により膨脹する、膨脹性樹脂組成物を用いるのが好ましい。硬化時に膨脹する、硬化膨脹性樹脂組成物を用いれば、暗色材料の硬化と同時に露出部Ｅに突出形状を賦形なし容易に形成できる。また、加熱時に膨脹する加熱膨脹性樹脂組成物を用いれば、暗色材料を加熱すれば露出部Ｅに突出形状を賦形なし容易に形成できる。
この様な膨脹性樹脂組成物としては、例えば、以下の（１）、（２）の樹脂組成物が挙げられる。
【００４２】
（１）硬化膨脹性樹脂組成物；（Ｉ）特開２００９−１３８１１６号公報記載の、オキセタン環含有ビニルエーテル化合物（Ａ）及び／又は脂環エポキシ基含有ビニルエーテル化合物（Ｂ）と、分子内にオキセタン基、エポキシ基、水酸基、ビニルエーテル基、又は脂肪族若しくは脂環式不飽和炭化水素基を少なくとも１つ有し、分子量５００以上のオリゴマー又はポリマー（Ｃ）を含むカチオン重合性樹脂組成物に、スピロオルソカーボネート、ジチオカーボネート類等の硬化膨脹性モノマーを配合した樹脂組成物、（ＩＩ）特許第３７７２９１３号公報記載の、シアナート樹脂と少なくとも１個以上のフェノール性水酸基を含む化合物とを反応させて得られる、シアナート樹脂硬化物の中間体であるイミドカーボネートと、エポキシ樹脂と、熱可塑性樹脂とからなる樹脂組成物、（ＩＩＩ）特公昭５９−４４４４号公報記載の、不飽和ポリエステル樹脂オリゴマー、ナフテン酸コバルト、メチルエチルケトンパーオキシドから成る組成物中に、不飽和ポリエステルに対して１．７３倍重量以上のスチレンモノマーを加えた樹脂組成物。（ＩＶ）特公昭６３−５６２５１号公報記載の、（Ａ）イソシアネート基を２個有するポリイソシアネート化合物の少なくとも１種、（Ｂ）ヒドロキシル基を２或いは３個有するポリヒドロキシル化合物の少なくとも１種、（Ｃ）特定の１−アルキル−４−ヒドロキシメチル−２，６，７−トリオキサビシクロ〔２，２，２〕オクタンの少なくとも１種を特定モル比で反応させてなる、末端及び／又は側鎖にビシクロオルソエステル環を有するウレタンからなる硬化用組成物。該組成物は硬化時に、例えば、０．４％の体積膨脹率を有する。（Ｖ）特公平１−２８０５５号公報記載の、エチレン性不飽和化合物に特定の１−ビニル−ビシクロオルソエステル化合物をラジカル共重合させることにより、該エチレン性不飽和化合物にビシクロオルソエステル基を導入して得られる共重合体。該重合体はその重合時に該オルソエステル基の開環による架橋時に収縮を起さず、逆に１％前後膨脹することを特徴とする。（ＶＩ）特公平３−６９２４号公報記載の、エチレン性不飽和化合物に特定の（メタ）アクリロイルオキシ基含有スピロルオルソエステル化合物をラジカル共重合させることにより、該エチレン性不飽和化合物にスピロオルソエステル基を導入した共重合体。得られる該共重合体は該オルソエステル基の開環による架橋時に、例えば、０．２％の体積膨脹率を有する。
【００４３】
（２）加熱膨脹性樹脂組成物；加熱膨脹性樹脂組成物としては、樹脂組成物中に熱分解型の発泡剤を添加し、樹脂の固化時に該発泡剤の熱分解温度以上に加熱し体積膨脹させる様にした加熱発泡型樹脂組成物を挙げることができる。この様な、加熱発泡型樹脂組成物の場合は、発泡剤を添加する樹脂は硬化性樹脂以外に熱可塑性樹脂も使用できる。
なお、熱分解型の発泡剤の例としては、アゾジカーボンアミド、オキシビスベンゼンスルホニルヒドラジッド等が挙げられる。また、熱可塑性樹脂としては、アクリル系樹脂、ポリエステル系樹脂、スチレン系樹脂、塩化ビニル−酢酸ビニル共重合体などが挙げられ、硬化性樹脂としては、熱硬化性樹脂、電子線や紫外線等で硬化する電離放射線硬化性樹脂があり、熱硬化性樹脂としては、２液硬化型ウレタン系樹脂、エポキシ系樹脂等が挙げられ、電離放射線硬化性樹脂としては、（メタ）アクリレート系、ポリエステル系、エポキシ系などの樹脂が挙げられる。電離放射線としては、通常、紫外線、又は電子線が用いられる。
【００４４】
［暗色線条部の形成法］
暗色線条部１ａの形成は、先に表面に暗色線条部１ａとは逆凹凸形状の凹条部を有する透明樹脂層１ｂを形成した後、該凹条部の中に暗色材料を充填することで形成できる。充填は、例えば、凹条部が形成された透明樹脂層１ｂの面に、暗色材料を塗布した後、凹条部以外の不要な暗色材料をドクターブレードで掻き取るいわゆるワイピング法によって除去して、凹条部内にのみに暗色材料を残す。その後、暗色材料は固化させる。
この時点に於いては、暗色線条部１ａの露出部Ｅの主切断面内での突出形状乃至凸状形状は、通常、図８の如く面Ａｓと面一の平坦（状）形状となるか、或いは図９（ａ）の如く面Ａｓから凹んだ形状となる。
【００４５】
［突出形状の形成法］
そして、暗色材料に上記の様な膨脹性樹脂組成物を用いることで、凹条部内のみに暗色材料を充填した後、暗色材料を硬化すると同時に、硬化膨脹性樹脂組成物は体積膨脹して、露出部Ｅを突出形状に出来る。また、暗色材料が加熱発泡型膨脹性樹脂組成物の場合は、凹条部内のみに暗色材料を充填した後、加熱して暗色材料を体積膨脹させて露出部Ｅを突出形状に出来る。
【００４６】
［暗色線条部の屈折率］
なお、コントラスト向上層１に画像光を拡散させて視野角を拡大させるときは、暗色線条部１ａの側面、例えば主切断面形状（の露出部Ｅが突出形状に変形前の形状）が三角形ならば該三角形の斜辺の面で、画像光を効率良く全反射させることが好ましい。この為には、暗色線条部１ａの樹脂成分の屈折率ｎａと、透明樹脂層１ｂの屈折率ｎｂとの関係を、ｎａ＜ｎｂとすると良い。なお、この様な屈折率差は、暗色線条部１ａのバインダ樹脂、及び透明樹脂層１ｂの樹脂を適宜選定することで付与できる。
【００４７】
［暗色線条部の露出部の向き］
なお、暗色線条部１ａの露出部Ｅの、観察者Ｖ（或いはディスプレイパネル）に対する向きは、いずれでも良い。暗色線条部１ａの露出部Ｅを突出形状に変形前の形状で、三角形や台形などでの底辺が該露出部Ｅである場合で言えば、該露出部Ｅ（底辺）をディスプレイパネル側に向けた図４の如き形態は、ディスプレイパネルからの画像光の視野角を広げることができ、逆に、露出部Ｅ（底辺）を観察者側に向けた形態（図示略）は、画像光の視野角を規制することができる。また、露出部Ｅ（底辺）の向きがこれらどちらの形態でも、外光、特に暗色線条部１ａの配列方向から来る外光の影響を抑制して、明室コントラストを向上させることができる。
また、該露出部Ｅ（底辺）の、電磁波遮蔽層５ａ等の機能主体層５に対する向きも、いずれでも良い。図４で例示した様に、電磁波遮蔽層５ａ等の機能主体層５側に向けても良いし、その反対側に向けてもよい。従って、観察者Ｖ（或いはディスプレイパネル）に対する向きと組み合わせると、都合４通りの組み合わせがあり、どの組み合わせでも良い。
【００４８】
［暗色線条部の露出部と底辺の関係］
暗色線条部１ａの露出部Ｅは、図１及び図４の主切断面形状が（突出形状に変形前が）台形の場合で言えば、その底辺（下底）であったが、逆側（台形では上底）でも良い。
【００４９】
｛透明樹脂層｝
透明樹脂層１ｂは、厚み方向では厚みが、暗色線条部１ａの少なくとも露出部Ｅを除く部分の厚み以上で、面方向では暗色線条部１ａ同士の間を埋めて暗色線条部１ａを少なくとも側面から支持して機械的強度を補強すると共に画像光を透過させる光透過部を形成する、透明な樹脂層である。図１及び図４では、透明樹脂層１ｂは暗色線条部１ａを（両側）側面と、下底が凸状形状に変形した略台形形状の上底側の３方向から支持している例である。なお、透明樹脂層１ｂの厚みは、例えば１００〜３００μｍ程度である。
【００５０】
透明樹脂層１ｂを構成する樹脂としては、透明であれば基本的には特に限定されず、例えば、熱可塑性樹脂、硬化性樹脂が使用できる。熱可塑性樹脂としては、アクリル系樹脂、ポリエステル系樹脂、スチレン系樹脂、オレフィン系樹脂、ポリカーボネート樹脂、ポリ塩化ビニルなどが挙げられ、硬化性樹脂としては、熱硬化性樹脂、電子線や紫外線等で硬化する電離放射線硬化性樹脂があり、熱硬化性樹脂としては、２液硬化型ウレタン系樹脂、エポキシ系樹脂、不飽和ポリエステル樹脂等が挙げられ、電離放射線硬化性樹脂としては、（メタ）アクリレート系、ポリエステル系、エポキシ系などの樹脂が挙げられる。尚、ここで、「（メタ）アクリレート」とは「アクリレート又はメタクリレート」を意味する。なかでも、電離放射線硬化性樹脂は固化が迅速で無溶剤にできる点などで好適な樹脂である。
【００５１】
なお、暗色線条部１ａとは逆凹凸形状（同形状で凹凸関係が反転した形状）の凹条部が形成された透明樹脂層１ｂを形成するには、公知の成形法、例えば、例えば、加熱された熱可塑性樹脂層に成形型を押圧する熱プレス法、熱可塑性樹脂組成物を成形型内に注入して固化させるキャスティング法、射出成形法、電離放射線硬化型樹脂組成物を成形型上（内）に注入して電離放射線で硬化させるフォトポリマー法（別名２Ｐ法）等を利用できる。これらの成形法の中でも、フォトポリマー法は生産性に優れる点でより好ましい。フォトポリマー法では、シリンダ状の成形型を使用して、帯状シートなどを供給しながら連続的に成形できる。帯状シートとして支持体シート２を用いれば、支持体シート２上に積層され、透明樹脂層１ｂ及び暗色線条部１ａを含むコントラスト向上層１を形成できる。
【００５２】
〔支持体シート〕
支持体シート２は、コントラスト向上層１のみでは機械的強度が不足する場合に、コントラスト向上層１を支持する機能を有する。この様な、支持体シート２としては、透明な樹脂シート（乃至フィルム）を使用できる。なお、「シート」は「フィルム」に対して一般に厚い物を意味することがあるが、本発明では単に呼称上の違いのみであり、その意味の区別は特にない。
上記樹脂シートの樹脂は、例えば、ポリエチレンテレフタレート等のポリエステル系樹脂、アクリル系樹脂、ポリカーボネート系樹脂、ポリアミド系樹脂、或いは、シクロオレフィン重合体などのポリオレフィン系樹脂、トリアセチルセルロースなどのセルロース系樹脂等である。なかでも、２軸延伸ポリエチレンテレフタレートフィルムは好適な材料である。なお、支持体シート２の厚みは、取扱性、コスト等の点で通常は１２〜５００μｍ、好ましくは２５〜２００μｍだが、特に制限はない。
また、支持体シート２としては、樹脂、ガラス、セラミックス等からなる透明な板でも良い（本発明の支持体シート２での「シート」の概念には「板」も含み得る）。
但し、生産性に優れたロール・ツー・ロール方式での生産適性の点では、フレキシブルな（可撓性の）材料を選べる樹脂シートが好ましい。
なお、ここで、ロール・ツー・ロール方式とは、ロール（巻取）から巻き出して所定の加工を施し、而かる後再度ロールに巻き取る加工方式を言う。
【００５３】
〔被着体〕
被着体３は、任意であり、シートや板を貼着して積層したり、塗工などで積層されたりする。その際、被着体３を暗色線条部１ａの露出部Ｅを有する側のコントラスト向上層１の面に、特に、接着剤層４を介して積層するときに、該露出部Ｅを突出形状としたことによる残留気泡防止の効果が得られる。また、この際、接着剤層４は、被着体３側に積層された形態で積層するときの方が、残留気泡防止の効果が大きい。
【００５４】
｛接着剤層｝
先ず、接着剤層４は、前記図３の説明では被着体３に属する層としたが、必ずしもその形態には限定されない。要は、被着体３を積層する時に接着剤を施せば良い。例えば、被着体３には属さない、独立した層として用意した接着剤層４を、積層時に、被着体３とコントラスト向上層１との間に挿入しても良い。また、上記した様に、効果が相対的に小さくなるが、予めコントラスト向上層１側に接着剤層４を積層してから被着体３を積層しても良い。この様な接着剤層４は、塗工法などで形成することができる。
なお、この接着剤層４は、粘着剤層も含み得る。
【００５５】
接着剤層４としては、透明であれば特に制限はない。この様な接着剤層４は樹脂層として形成でき、該樹脂層の樹脂としては、熱可塑性樹脂の他、積層時までは未硬化とすれば、熱硬化性樹脂、電離放射線硬化性樹脂などの硬化性樹脂も用いることができる。接着剤層４には、これらの樹脂の１種又は２種以上の混合樹脂を用い、更に必要に応じて、可塑剤、粘着付与剤、安定剤、架橋剤、重合開始剤等が添加された樹脂組成物を用いる。また、通常は該樹脂組成物に更に溶剤希釈した塗液で塗工形成する。なお、上記熱可塑性樹脂としては、例えば、アクリル系樹脂、ポリエステル系樹脂、ポリアミド系樹脂、塩化ビニル−酢酸ビニル樹脂、ポリオレフィン系樹脂などが挙げられ、上記熱硬化性樹脂としては、例えば、２液硬化型ウレタン系樹脂、アクリル系樹脂、ポリエステル系樹脂、エポキシ系樹脂などが挙げられ、上記電離放射線硬化性樹脂としては、例えば、（メタ）アクリレート系、ポリエステル系、エポキシ系などの樹脂が挙げられる。接着剤層４の厚みは通常２〜５００μｍ程度である。
被接着面が暗色線条部１ａの突出形状や、導電体パターン層６によって表面凹凸を有する場合は、該表面凹凸を吸収して接着剤層４の表面が平坦面となし得るに足る厚みとするのが好ましい。
なお、接着剤層４を粘着剤から構成し厚みを２００μｍ以上とすると耐衝撃層（衝撃吸収層）として機能させることも出来る。
【００５６】
なお、接着剤層４として粘着剤層を用い且つ最外層となる場合は、通常、使用時まで表面を保護するセパレータフィルムを積層しておく。また、粘着剤層とする場合の樹脂は、アクリル系粘着剤、ポリエステル系粘着剤、ゴム系粘着剤、シリコーン系粘着剤など公知の粘着剤を用いることができる。セパレータフィルムとしては、樹脂フィルムの表面をシリコーン系樹脂やワックス等で剥離性を付与したものを用いることができる。粘着剤層として形成する接着剤層４は、上記の様な樹脂の溶液の塗工、また粘着剤層の場合は粘着シートの積層など、公知の形成法で形成することができる。
【００５７】
｛機能主体層｝
機能主体層５は、被着体３が接着剤層４を備える場合に、該接着剤層４以外の層、つまり該接着剤層４を用いてコントラスト向上フィルタ１０に、追加する機能を担う層のことを意味する。
例えば、コントラスト向上フィルタ１０が、ディスプレイ用途である場合などでは、コントラスト向上機能以外の各種光学フィルタ機能が、機能主体層５の機能となり得る。また、光学フィルタ機能以外に、ハードコート層に代表される表面保護機能、電磁波遮蔽機能など、光学機能以外の機能も機能主体層５の機能となり得る。これらは、ディスプレイ用フィルタとして、従来公知の各種光学フィルタ乃至は機能層を適宜採用できる。
【００５８】
また、機能主体層５としては、コントラスト向上フィルタ１０は少なくともコントラスト向上層１を１層含むが、該コントラスト向上層１に別のコントラスト向上層１を追加する場合の、追加するコントラスト向上層１も含み得る。これは例えば、暗色線条部１ａの延在方向のみが異なるコントラスト向上層１同士を２層以上重ねる場合などである。しかし、通常は、コントラスト向上層１以外の層が機能主体層５となる。またその場合、粘着剤層として接着剤層４を、その粘着面を使用時まで保護するセパレータフィルム付きの粘着シートとしての被着体３を積層する場合などでは、該粘着剤層として付与する接着剤層４自体が機能主体層５でもある。
【００５９】
以下、ＰＤＰ用途で必須となる電磁波遮蔽層５ａを機能主体層５として、先ず説明し、次に、光学フィルタ等の光学機能層と、光学機能以外の非光学機能層を説明する。
【００６０】
［電磁波遮蔽層］
電磁波遮蔽層５ａは、少なくとも導電体層を含み、該導電体層には全面に蒸着やスパッタ等で形成した金属乃至は金属酸化物からなるそれ自体透明性の導電性薄膜などもあるが、ここでは、それ自体は不透明でパターン状に形成した導電体パターン層６を、説明する。この様な電磁波遮蔽層５ａとしては、少なくとも導電体パターン層６を含むが、透明基材７上に導電体パターン層６が形成された形態では、該透明基材７も含み、さらに後述プライマ層８を介して透明基材７上に形成された形態では、該プライマ層８も含む構成となる。
【００６１】
（導電体パターン層）
導電体パターン層６は、パターン状に形成された電磁波遮蔽機能を担う層であり、ｋＨｚ〜ＧＨｚ帯域の所謂電波領域の電磁波は遮蔽し可視光線は透過するフィルタ機能を有する。また、導電体パターン層６は通常は後述透明基材７上に形成される。また、導電体パターン層６は、導電性粒子Ｃｐとバインダ樹脂とを含む層である。導電体パターン層６は、導電性粒子Ｃｐと樹脂バインダとを含む液状の導電性組成物（導電性ペースト、導電性インキ等とも呼ばれる）を用いて形成でき、導電性組成物を溶剤乾燥、電離放射線照射、加熱などのエネルギー付加、化学反応などの固化手段によって固化させて得られる。
【００６２】
上記導電性粒子Ｃｐ及び樹脂バインダには公知の物を適宜採用できる。例えば、導電性粒子Ｃｐとしては、金、銀、白金、銅、錫、アルミニウム、ニッケルなど高導電性金属（乃至その合金）の粒子やコロイド、或いは、樹脂粒子や無機非金属物粒子の表面を金、銀など上記高導電性金属（乃至その合金）で被覆した金属被覆粒子、或いは黒鉛粒子、などを用いる。
【００６３】
樹脂バインダは、導電体パターン層６を形成する為の液状の導電性組成物から導電性粒子Ｃｐを除いた残りの成分であり、樹脂バインダの樹脂（バインダ樹脂）としては、熱可塑性樹脂、熱硬化性樹脂、電離放射線硬化性樹脂などを単独使用又は併用する。熱可塑性樹脂には熱可塑性ポリエステル樹脂、熱可塑性アクリル樹脂、塩化ビニル−酢酸ビニル共重合体など、熱硬化性樹脂にはメラミン樹脂、熱硬化性ポリエステル樹脂、熱硬化性アクリル樹脂、熱硬化性ウレタン樹脂、エポキシ系樹脂などを使用する。また、電離放射線硬化性樹脂には、電離放射線で架橋など重合硬化するモノマー及び／又はプレポリマーを含む組成物を使用する。モノマーやプレポリマーにはラジカル重合性やカチオン重合性の化合物を使用する。なかでも、（メタ）アクリレート系化合物を用いた電離放射線硬化性樹脂が代表的である。なお、電離放射線には通常紫外線や電子線等が用いられる。
導電性粒子と（樹脂バインダ中の）バインダ樹脂との質量比は、導電性、印刷適性、及び導電体パターン層６の強度とを兼ね備える点から、導電性粒子：バインダ樹脂＝６０：４０〜９９：１（質量比）、より好ましくは、導電性粒子：バインダ樹脂＝９０：１０〜９６：４（質量比）の範囲とする。
【００６４】
なお、導電体パターン層６のパターンの平面視形状は、公知の形状など任意であり、例えば、メッシュ形状（六角形や四角形などの格子模様）、ストライプ形状（直線状縞模様、螺旋模様など）などの幾何学形状である。なかでもメッシュ形状、それも正方格子形状が代表的である。導電体パターン層６の非形成部である開口部の形状は、メッシュ形状が例えば正方格子形状では正方形、ストライプ形状では帯形状となる。また、パターンの線幅、つまり導電体パターン層６の形成部の線幅は、電磁波遮蔽性能とメッシュの不可視性の両立の観点から通常は５〜５０μｍである。格子やストライプ等の幾何学模様のパターンの周期は通常１００〜５００μｍである。また、導電体パターン層６の開口率〔（導電体パターン層６の開口部の合計面積／導電体パターン層６の開口部及び導電体パターン層６の形成部を含めた全被覆面積）×１００で定義〕は、電磁波遮蔽性能及び可視光透過性との両立の点から、５０〜９５％程度である。導電体パターン層６の厚みは電磁波遮蔽性の点からは３μｍ以上、好ましくは１０μｍ以上とする。又、通常最大１００μｍ以下とする。これ以上の厚みでは、通常用途に於いては過剰性能となる上、パターン形成が困難となったり、導電体パターン層６が外力を受けて破損し易くなったりする為である。
【００６５】
（導電体パターン層の印刷方式）
なお、導電体パターン層６を透明基材７上にパターン状に形成する方法は特に限定はない。公知のパターン形成法を用途、要求物性等に応じて適宜採用すれば良い。形成法の代表的な方法は、導電性組成物を用いた印刷法である。
導電性組成物を用いて導電体パターン層６を印刷形成する場合、その印刷方式としても基本的には特に制限はない。例えば、シルクスクリーン印刷、フレキソ印刷、オフセット印刷、グラビア印刷、グラビアオフセット印刷、凹版印刷などの有版印刷、或いはインキジェット印刷に代表される無版印刷等である。これらの印刷法の中でも、国際公開第２００８／１４９９６９号のパンフレットで開示された凹版印刷の一種である「引抜プライマ方式凹版印刷法」は、従来では不可能であった様な、細く且つ精細なパターン形成が可能となる点で好ましい印刷方式の一種であり、しかも、優れた電磁波遮蔽性と優れた光透過性とを高度に両立できる。そこで、以下この印刷方式について説明する。
【００６６】
「引抜プライマ方式凹版印刷法」を被印刷物が透明基材７である場合で説明すると次の様になる。
「引抜プライマ方式凹版印刷法」は、透明基材７上に施した流動状態のままのプライマ流動層上に導電性組成物のインキを凹版印刷する方法であり、しかもその際、版面上に透明基材７が存在している間に、版面と透明基材７間にあるプライマ流動層を紫外線照射などで固化させてプライマ層８として固化させた後に透明基材７を凹版から離版して、透明基材７上にプライマ層８を介してパターン状の導電体パターン層６を印刷形成する方法である。このプライマ層８は未硬化で流動状態のときに、版から被印刷物へのインキの転移を促進する作用、言い換えると凹版の版面凹部内に充填されたインキを引き抜いて被印刷物（透明基材７）に移す作用を有する。
【００６７】
そして、この様な、「引抜プライマ方式凹版印刷法」による印刷物が、他の印刷法に見られない大きな特徴は、図５の断面図で概念的に示す様に、プライマ層８と導電体パターン層６との界面について、プライマ層８は、導電体パターン層６の形成部６ａでの厚さＴａが導電体パターン層６の非形成部６ｂでの厚さＴｂよりも厚い形状となることである。なお、非形成部６ｂの厚さＴｂは、形成部６ａの厚さＴａの影響のない非形成部６ｂつまり開口部４の中央部での厚さとする。通常、非形成部６ｂの厚さＴｂは１〜１０μｍ程度、形成部６ａの厚さＴａは、非形成部６ｂの厚さＴｂに較べて１〜１０μｍ程度厚く形成される。
【００６８】
また、導電体パターン層６の凸部内の導電性粒子Ｃｐの分布が、相対的に、プライマ層８の近傍において分布が疎であり頂部近傍において分布が密であることが好ましい。
すなわち、導電体パターン層６の形成部６ａである導電体パターン層６の凸部の内部では、図５で概念的に示す様に、導電性粒子Ｃｐが一様な均一な分布ではなく、導電性粒子Ｃｐの分布が、相対的に、凸部の頂部Ｐ（頂上部）の近くが密で、頂部Ｐから遠いプライマ層８の近くが疎である分布を持つ内部構造が好ましい。密とは単位体積中の導電性粒子Ｃｐの粒子数で見た数密度（体積密度）である。つまり、凸部内部の導電性粒子Ｃｐの数密度が、プライマ層８近くに比べて頂部Ｐ近くの方が大きくなる分布である。数密度が大きい方が導電性粒子Ｃｐ同士の電気的接触が行われ易い。従って、例え導電体パターン層６中の導電性粒子Ｃｐの平均濃度が同じであっても、同じ数の導電性粒子Ｃｐを数密度一様で分布させた場合に比べて、数密度が大きい部分での体積抵抗率の低下が寄与して全体として体積抵抗率が下がり、電磁波遮蔽性能が向上する。また、導電体パターン層６の表面へ導電性金属層を電解めっきする場合に、電解めっき適性が向上する。更に、プライマ層８との境界近傍での導電性粒子Ｃｐの数密度が小さいことによって、導電体パターン層６とプライマ層８との密着性が向上する。
前記の如き所望の効果を奏する上では、主切断面に於ける導電性粒子Ｃｐの（面積）数密度分布は、プライマ層との境界での数密度に比べ、頂部の密度の密度が１．５〜１０倍の範囲が好ましい。
【００６９】
なお、導電体パターン層６中に於ける導電性粒子Ｃｐの分布状態は、パターン状に形成された導電体パターン層６の形成部である凸部が透明基材７上で延びる方向には依存性を持たない。つまり、図５で示す導電体パターン層６の凸部の断面図は、凸部が延びる方向に直交し且つ透明基材７のシート面に垂直な面である主切断面の断面図であり、紙面に垂直な方向が凸部が延びる方向（延在方向）であるが、凸部が延びる延在方向では、主切断面内での位置が同じであれば単位体積中の粒子の数密度は一定である。その為、この様な単位体積中の導電性粒子Ｃｐの数密度は、凸部の主切断面に於ける単位面積中の導電性粒子Ｃｐの数密度（面密度）で評価出来る。すなわち、図５の如く、主切断面内に於いて、導電性粒子Ｃｐの面密度がプライマ層８近くに比べて頂部Ｐの近くの方が大きくなる分布であれば、導電性粒子Ｃｐの体積密度もプライマ層８近くに比べて頂部Ｐの近くの方が大きくなる分布であると判断して良い。
この様に凸部の頂部Ｐの方に導電性粒子Ｃｐを偏在させるには、例えば、プライマ流動層形成済みの透明基材７を版面に圧着する圧着力を強くすると共に、導電性組成物は粘度を低めにして且つ凹版凹部内では固化させずに版面から離版後に固化させると良い。この他、導電性粒子Ｃｐと樹脂バインダとの比重差、固化前の導電性組成物の粘度（樹脂材料及び樹脂量、溶剤量、その他添加剤量、導電性粒子Ｃｐの形状、粒度分布、含有量など関係）、固化条件などにも依存するので、これらは適宜実験的に決定すると良い。
なお、導電性粒子Ｃｐと樹脂バインダとの比重差については、通常は金属粒子である導電性粒子Ｃｐの比重＞樹脂バインダの比重、となる為、プライマ層８に対して頂部Ｐを重力の向きと同じ向きにして導電体パターン層６を固化させると良い。
なお、図５の如く導電体パターン層６内に於ける導電性粒子Ｃｐの数密度がプライマ層８側が疎で、頂部Ｐ側が密に分布する形態は、又、導電性粒子Ｃｐの隣接粒子間距離がプライマ層８側が大で、頂部Ｐ側が小に分布する形態であるとも言える。隣接粒子間距離についても、導電体パターン層６の延在方向での依存性は実質上無視出来る為、図５の如き主切断面に於ける隣接粒子間距離を測定し評価すれば良い。隣接粒子間距離は、通常、主切断面内の特定の位置の１粒子について、周囲に隣接する各粒子のうち該特定粒子に近い順に３〜１０個の予め決められた数の粒子を選び、選んだ各粒子と該特定粒子との距離を求め、求めた各距離値を平均した値を、該特定粒子についての隣接粒子間の距離とする。
前記の如き所望の効果を奏する上では、主切断面に於ける導電性粒子Ｃｐの隣接粒子間距離の分布は、プライマ層８との境界での隣接粒子間距離が０．５〜３μｍ、頂部の隣接粒子間距離が０〜０．５μｍの範囲が好ましい。
【００７０】
（プライマ層）
なお、上記プライマ層８は透明な樹脂層で、その樹脂には熱可塑性樹脂、硬化性樹脂等を用い、硬化性樹脂には熱硬化性樹脂、電離放射線硬化性樹脂等を用いることができるが、固化が迅速な点で紫外線照射等で硬化する電離放射線硬化性樹脂が好ましい。これらの樹脂は、導電体パターン層６で列記したバインダ樹脂などを使用できる。
【００７１】
（透明基材）
また、透明基材７は、前記した支持体シートで列記したもの等が使用できる。よって、ここでは、更なる説明は省略する。
【００７２】
［機能主体層となる光学機能層と非光学機能層］
次に、機能主体層５として電磁波遮蔽層５ａ以外の層として、光学機能層と、非光学機能層を説明する。
光学機能層は例えば光学フィルタ機能を担い、光学フィルタ機能としては、近赤外線吸収機能、紫外線吸収機能、ネオン光吸収機能、色補正機能、反射防止機能（防眩、反射防止、防眩及び反射防止兼用のいずれか）などである。これら光学機能は、夫々の光学機能に応じた公知の光学フィルタを適宜採用できる。
また、光学フィルタ等の光学機能以外の機能を付与する為の非光学機能層は、表面保護層、ハードコート層、帯電防止層、汚染防止層、耐衝撃層、粘着剤層、或いは前記の電磁波遮蔽層などである。これらの層も公知のものを適宜使用できる。なお、光学機能層と非光学機能層とは、両層を含めて、その機能の１又は２以上を、単層又は多層構成によって実現しても良い。
【００７３】
《Ｄ．変形形態》
本発明は、上記説明した以外の形態として、例えば、次の様な変形形態もとり得る。
【００７４】
暗色線条部１ａの延在方向は１方向でも良いが、該延在方向は複数の方向、例えば２方向に交差させたものでも良い。交差は例えば直角である。
暗色線条部１ａは延在方向に直線で延びる形状でも良いが、１本の暗色線条部１ａが全体として直線状に延在しているが、直線を変調し例えば波形状の様な直線状であっても良い。
暗色線条部１ａの露出部Ｅは、透明樹脂層１ｂの片面に露出する形態以外に、両面に露出する形態でも良い。この場合、或る一つの暗色線条部１ａが該両面に露出する形態の他（例えば、変形前の形状で台形形状が、その上底と下底の両方を露出させている形態）、夫々の暗色線条部１ａは、表裏面の何れか片面にのみ露出しているが、この片面露出の暗色線条部１ａが、交互に配列していることで、全体として表裏面に露出する形態などである。
又、前記の図４で図示の実施形態に於いては、電磁波遮蔽層５ａとコントラスト向上層１とを各々別個の層として用意し、両者を積層した。しかし、コントラスト向上層１の暗色線条部１ａに充填する暗色材料中の暗色色材として、黒鉛粒子等の暗色を呈し且つ導電性も有する物を採用することにより、コントラスト向上層１自体を電磁波遮蔽層５ａと兼用することも出来る。この形態を採用すると、図４の実施形態に比べて、より少ない厚み及び層数で同等のコントラスト向上効果及び電磁波遮蔽効果を奏することが出来て好ましい。
【００７５】
《Ｅ．用途》
本発明によるコントラスト向上フィルタは、特に、テレビジョン受像器、測定機器や計器類、事務用機器、医療機器、電算機器、電話機、電子看板、遊戯機器等の表示部等に用いられるＰＤＰ、ＣＲＴ、ＬＣＤ、ＥＬなどの各種画像表示装置の前面フィルタ用として好適であり、画像光は透過し外光は吸収することにより明室内での画像コントラストを向上させる機能、或いは画像情報の側面からの覗き見を防止する機能を有する。特にＰＤＰ用として好適である。又、その他、住宅、学校、病院、事務所、店舗等の建築物の窓、車輛、航空機、船舶等の乗物の窓に貼着して、外界の風景は透視可能で且つ直射日光は遮蔽する機能、或いは外界の風景は透視可能で且つ高層建築物からの覗き見は遮蔽する機能を有する窓貼り用フィルタ等の用途にも使用可能である。
【符号の説明】
【００７６】
１    コントラスト向上層
１ａ  暗色線条部
１ｂ  透明樹脂層
２    支持体シート
３    機能層（被着体）
４    接着剤層
５    機能主体層
５ａ  電磁波遮蔽層
６    導電体パターン層
７    透明基材
８    プライマ層
１０    コントラスト向上フィルタ
２０    従来のコントラスト向上フィルタ
２１    従来のコントラスト向上層
２１ａ  従来の暗色線条部
２１ｂ  従来の透明樹脂層
Ａｃ  尖点
Ａｊ  接続部
Ａｓ  （透明樹脂層の層面を成す）面
Ｂｅ  （底辺の）両端
Ｃｐ  導電性粒子
Ｅ    露出部
Ｅｅ  （露出部の）両端
Ｇ    空気（気泡）
Ｈ    突出高さ
Ｐ    頂部
【図１】
2011257439.tif 000003
【図２】
2011257439.tif 000004
【図３】
2011257439.tif 000005
【図４】
2011257439.tif 000006
【図５】
2011257439.tif 000007
【図６】
2011257439.tif 000008
【図７】
2011257439.tif 000009
【図８】
2011257439.tif 000010
【図９】
2011257439.tif 000011